(57)【要約】本発明は視角調節可能な表示装置を提供する。表示装置は、ベース部および一端がベース部に設置されており、他端が表示装置に設置されたマルチコネクティングロッド式装置を含み、マルチコネクティングロッド式装置を利用し、マルチコネクティングロッドを折り畳むことにより、蛇管の老化問題を解決すると同時に、使用した後、外部に放置されたハウジングの保存位置にマッチする問題を解決することができる。また、各コネクティングロッド同士の接続関係により、表示装置に対する粗調整と微調整を互いに合わせることを実現し、利用者は迅速に該構造を介して、表示装置に対する任意角度からの迅速且つ便利な調節を実現することができる。ダンパーまたは調節後ロッキング機構付きの調節機構を採用して、表示装置を観察しやすい調節位置に位置決めることができる。【選択図】図１
2019502961.tif 000002
【特許請求の範囲】
【請求項１】
視角調節可能な表示装置であって、
ベース部と、一端が前記ベース部に設置されており、他端が表示装置に設置されているマルチコネクティングロッド式装置と、を含む、
ことを特徴とする視角調節可能な表示装置。
【請求項２】
前記マルチコネクティングロッド装置と前記ベース部との間には第一調節装置が設置されている、ことを特徴とする請求項１に記載の視角調節可能な表示装置。
【請求項３】
前記表示モジュールと前記マルチコネクティングロッド装置との間には第二調節装置が設置されている、ことを特徴とする請求項２に記載の視角調節可能な表示装置。
【請求項４】
前記マルチコネクティングロッド式装置は、前部コネクティングロッドおよび後部コネクティングロッドを含み、
前部コネクティングロッドの一端は第一調節装置を介して前記ベース部に設置されており、前部コネクティングロッドの他端は後部コネクティングロッドの一端に可動に接続されており、後部コネクティングロッドの他端は第二調節装置を介して前記表示装置に設置されている、ことを特徴とする請求項３に記載の視角調節可能な表示装置。
【請求項５】
前記第一調節装置または前部コネクティングロッドの他端と後部コネクティングロッドの一端との接続部はヒンジ接続構造を採用している、ことを特徴とする請求項４に記載の視角調節可能な表示装置。
【請求項６】
前記第二調節装置はボールベアリング構造を採用している、ことを特徴とする請求項３に記載の視角調節可能な表示装置。
【請求項７】
前記ボールベアリング構造はユニバーサルボールベアリング構造である、ことを特徴とする請求項６に記載の視角調節可能な表示装置。
【請求項８】
前部コネクティングロッドと後部コネクティングロッドとの間はコネクティングロッドまたはコネクティングロッド組により接続されている、ことを特徴とする請求項４に記載の視角調節可能な表示装置。
【請求項９】
前記マルチコネクティングロッド式装置または表示装置には制御ボタンが設置されている、ことを特徴とする請求項１に記載の視角調節可能な表示装置。
【請求項１０】
前記ベース部が設けられている熱画像システムをさらに含む、ことを特徴とする請求項３に記載の視角調節可能な表示装置。
【請求項１１】
前記ベース部が設けられているメガネフレームをさらに含む、ことを特徴とする請求項３に記載の視角調節可能な表示装置。
【請求項１２】
前記ベース部にはクランプインターフェイスが設置されている、ことを特徴とする請求項３に記載の視角調節可能な表示装置。
【請求項１３】
前記ベース部と熱画像システムまたはメガネフレームとの間はクランプ構造を介して接続されている、ことを特徴とする請求項１０または１１に記載の視角調節可能な表示装置。
【請求項１４】
前記ベース部が設けられている収納装置をさらに含む、ことを特徴とする請求項３に記載の視角調節可能な表示装置。
【請求項１５】
前記収納装置は、収納ボックス、収納ボックス内に設置されたバッフル部材を含み、
前記バッフル部材は、トップビーズばねおよびトップビーズばねの頂部に設置されたクランプトップビーズを含み、前記バッフル部材に嵌合する前記マルチコネクティングロッド式装置にはクランプ溝が設置されており、収納する場合、前記クランプトップビーズは前記クランプ溝内に係止されている、ことを特徴とする請求項１４に記載の視角調節可能な表示装置。
【請求項１６】
前記収納装置は、収納ボックスの一側に設置されたトグル部材をさらに含み、前記トグル部材は、スイッチ、リセットばねおよび突出しピンを含み、前記収納ボックスには突出しピンを貫通させる孔が設置されており、スイッチを動作させる場合、突出しピンは収納ボックスの孔を貫通した後マルチコネクティングロッド装置に当接しており、マルチコネクティングロッド式装置にクランプトップビーズの弾力を解消させた後クランプトップビーズをクランプ溝から滑り出すようにし、スイッチを解放した後、リセットばねはスイッチをリセットする、
ことを特徴とする請求項１５に記載の視角調節可能な表示装置。
【請求項１７】
前記後部コネクティングロッド表面には摩擦層が設置されている、ことを特徴とする請求項４に記載の視角調節可能な表示装置。
【請求項１８】
前記収納装置の内側には緩衝部品が設置されている、ことを特徴とする請求項１４に記載の視角調節可能な表示装置。
【請求項１９】
収納溝をさらに含み、前記マルチコネクティングロッド式装置は前記収納溝に収納されている、ことを特徴とする請求項４に記載の視角調節可能な表示装置。
【請求項２０】
前記収納装置にはクランプ構造が設置されている、ことを特徴とする請求項１４に記載の視角調節可能な表示装置。
【発明の詳細な説明】
【技術分野】
【０００１】
本発明は、視角調節可能な表示装置に関する。
【背景技術】
【０００２】
従来技術における表示モジュール付きの熱画像ヘルメットまたはヘッドバンドにおいて、熱画像ヘルメットまたはヘッドバンドにおける表示モジュールはビデオデータケーブルを介して熱画像取得装置に接続されている。表示モジュールとヘルメットまたはヘッドバンドとの間の位置を調節するため、両者の間は往々にして蛇管またはハード配線構造を採用して接続されている。蛇管による接続を採用する構造には、蛇管が老化しやすい問題が存在するとともに、該ヘルメットが使用された後は蛇管に対して調節が行われたため、その後保存するために調節を行っても、蛇管は完全に出荷時の形状には回復できず、使用された後は、外部保存用ハウジングにおける保存位置の形状と一致しない問題が存在する。
【０００３】
一方で、ハード配線構造を採用する場合、外部保存用ハウジングにおける保存位置の形状と一致する問題は解決するが、その調節位置が限られているため、異なる利用者の異なる角度および方向からの調節の必要を満たせることができず、かつハード配線構造の重量も利用者に一定の負担を与える。さらに、該熱画像ヘルメットまたはヘッドバンドは往々にして熱画像装置を取付座方式によりヘルメットまたはヘッドバンドに固定するため、その取得される視角はヘルメット着用による制限を受ける。
【０００４】
従来技術の表示モジュールは、液晶表示装置、様々なビューファインダー、および最近現れた様々なマイクロ投影用ディスプレイを含む。マイクロ投影用ディスプレイは、例えば、マイクロ投影モジュールおよびプリズムを含み、マイクロ投影モジュールは画像をプリズムに投影し、人間の目はプリズムを観察することにより、画像を見ることができる。したがって、ディスプレイがより頭部装着型装置に便利に使用されるような解決手段が必要である。
【発明の概要】
【発明が解決しようとする課題】
【０００５】
本発明は上記技術的問題に鑑みてなされたものであって、視角調節可能な表示装置を提供するすることを目的とする。
【課題を解決するための手段】
【０００６】
上記技術的問題を解決するための本発明に係る視角調節可能な表示装置は、ベース部と、一端が前記ベース部に設置されており、他端が表示装置に設置されたマルチコネクティングロッド式装置と、を含む。
【０００７】
好ましくは、前記マルチコネクティングロッド装置と前記ベース部との間には第一調節装置が設置されている。
【０００８】
好ましくは、前記表示モジュールと前記マルチコネクティングロッド装置との間には第二調節装置が設置されている。
【０００９】
好ましくは、前記マルチコネクティングロッド式装置は、一端が第一調節装置を介して前記ベース部に設置された前部コネクティングロッド、および後部コネクティングロッドを含み、前部コネクティングロッドの他端は後部コネクティングロッドの一端に可動に接続されており、後部コネクティングロッドの他端は第二調節装置を介して前記表示装置が設置されている。
【００１０】
好ましくは、前記第一調節装置または前部コネクティングロッドの他端と後部コネクティングロッドの一端との接続部はヒンジ接続構造を採用する。
【００１１】
好ましくは、前記第二調節装置はボールベアリング構造を採用する。
【００１２】
好ましくは、前記ボールベアリング構造はユニバーサルボールベアリング構造である。
【００１３】
好ましくは、前部コネクティングロッドと後部コネクティングロッドとの間はコネクティングロッドまたはコネクティングロッドセットを設置することにより接続されている。
【００１４】
好ましくは、前記マルチコネクティングロッド式装置または表示装置には制御ボタンが設置されている。
【００１５】
好ましくは、熱画像システムをさらに含み、前記ベース部は熱画像システムに設置されている。
【００１６】
好ましくは、メガネフレームをさらに含み、前記ベース部はメガネフレームに設置されている。
【００１７】
好ましくは、前記ベース部にはクランプインターフェースが設置されている。
【００１８】
好ましくは、前記ベース部と熱画像システムまたはメガネフレームとの間はクランプ構造を介して接続されている。
【００１９】
好ましくは、収納装置をさらに含み、前記ベース部は収納装置に設置されている。
【００２０】
好ましくは、前記収納装置は、収納ボックス、収納ボックス内に設置されたバッフル部材を含み、前記バッフル部材は、トップビーズばねおよびトップビーズばねの頂部に設置されたクランプトップビーズを含み、前記バッフル部材に嵌合される前記マルチコネクティングロッド式装置には、クランプ溝が設置されており、収納される場合、前記クランプトップビーズは前記クランプ溝内に係止されている。
【００２１】
好ましくは、前記収納装置は、収納ボックスの一側に設置されており、スイッチ、復位ばねおよび突出しピンを含むトグル部材をさらに含み、前記収納ボックスには突出しピンを貫通させることが可能な孔が設置されており、スイッチを動作させた場合、突出しピンは収納ボックスの孔を貫通した後マルチコネクティングロッド装置に当接し、マルチコネクティングロッド式装置にクランプトップビーズの弾力を解消させた後、クランプトップビーズをクランプ溝から滑り出させ、スイッチを解放させた後、復位ばねによりスイッチを復位させる。
【００２２】
好ましくは、前記後部コネクティングロッドの表面には摩擦層が設置されている。
【００２３】
好ましくは、前記収納装置の内側には緩衝部品が設置されている。
【００２４】
好ましくは、前記コネクティングロッド式装置が収納された収納溝をさらに含む。
【００２５】
好ましくは、前記収納装置にはクランプ構造が設置されている。
【発明の効果】
【００２６】
本発明に係るマルチコネクティングロッド装置によれば、マルチコネクティングロッドの折り畳みを通じて、蛇管の老化問題を解決するとともに、マルチコネクティングロッド装置が使用された後、外部保存用ハウジングにおける保存位置の形状と一致する問題を解決することができる。また、各コネクティングロッド同士の接続関係により、表示装置に対する粗調整および微調整の協調を実現し、利用者は該構造を介して表示装置に対する任意の角度の迅速且つ便利な調節を実現することができる。また、ダンパーまたは調節後ロッキング機構付きの調節機構を利用することにより、表示装置を観察しやすい調節位置に位置決めることができる。さらに、視角調節可能な表示装置の周辺に対しマッチする収納装置を追加し、マルチコネクティングロッド装置を利用して表示装置を収納することにより、保護作用も果たす。また、収納装置に設置されたバッフル部材およびトグル部材は、それぞれマルチコネクティングロッド装置に対するクランプ位置を固定し解放する役割を果たす。本発明に係る表示装置は、様々なウェアラブル装置に応用することができ、様々な応用装置、例えば、測定装置、センサ装置、無線または有線の通信装置等と合わせて使用でき、例えば、赤外線または可視光等の撮影装置に様々なセンサ装置と合わせて使用できる。
【図面の簡単な説明】
【００２７】
【図１】マルチコネクティングロッド構造の表示装置の分解図である。
【図２】図１の装置の組立図である。
【図３】熱画像システム付きのマルチコネクティングロッド構造の表示装置の分解図である。
【図４】図３の装置の組立図である。
【図５】マルチコネクティングロッド構造の表示装置の他の一つの実施形態の分解図である。
【図６】図５の装置の組立図である。
【図７】収納装置付きのマルチコネクティングロッド構造の表示装置の分解図である。
【図８】図７の装置を使用する際の組立図である。
【図９】図７の装置の収納状態における組立図である。
【図１０】熱画像システムおよび収納装置付きのマルチコネクティングロッド構造の表示装置の分解図である。
【図１１】図１０の装置の収納状態における組立図である。
【図１２】図１０の装置を使用する際の組立図である。
【図１３】メガネフレーム付きのマルチコネクティングロッド構造の表示装置の分解図である。
【図１４】図１３の装置の組立図である。
【図１５】メガネフレームおよび収納装置付きのマルチコネクティングロッド構造の表示装置の分解図である。
【図１６】図１５の装置を使用する際の組立図である。
【図１７】図１５の装置の収納状態における組立図である。
【図１８】ベース部のクランプ構造の実施形態の構造の一例を示す図である。
【図１９】制御ボタンが設置されたマルチコネクティングロッド構造の表示装置の構造の一例を示す図である。
【図２０】制御ボタンが設置されたマルチコネクティングロッド構造の表示装置の構造の他の一例を示す図である。
【図２１】制御ボタンが設置されたマルチコネクティングロッド構造の表示装置の構造の他の一例を示す図である。
【図２２】制御ボタンが設置されたマルチコネクティングロッド構造の表示装置の構造の他の一例を示す図である。
【図２３】制御ボタンが設置されたマルチコネクティングロッド構造の表示装置の構造の他の一例を示す図である。
【図２４】マルチコネクティングロッド表示装置をヘルメットに設置した他の一実施形態を示す図である。
【図２５】マルチコネクティングロッド表示装置をヘルメットに設置した他の一実施形態を示す図である。
【図２６】簡単な収納装置の様々な形状を示す図である。
【図２７】収納装置付きのマルチコネクティングロッド構造の表示装置をヘッドバンドに取り付けた一例を示す図である。
【図２８】収納装置付きのマルチコネクティングロッド構造の表示装置をヘッドバンドに取り付けた他の一例を示す図である。
【図２９】収納装置付きのマルチコネクティングロッド構造の表示装置をヘッドバンドに取り付けた他の一例を示す図である。
【図３０】マルチコネクティングロッド構造の表示装置をヘッドバンドに取り付けた一例を示す図である。
【図３１】緩衝部品付きの収納装置を示す図である。
【図３２】収納装置付きのマルチコネクティングロッド構造の表示装置をヘッドバンドに取り付けた他の一実施形態を示す図である。
【図３３】収納装置付きのマルチコネクティングロッド構造の表示装置をヘッドバンドに取り付けた他の一実施形態を示す図である。
【図３４】図３３におけるマルチコネクティングロッド構造を示す図である。
【図３５】図３４のマルチコネクティングロッド構造の分解図である。
【図３６】図３３の収納装置付きのマルチコネクティングロッド構造の表示装置の他の取り付け形態の一例を示す図である。
【図３７】ヘッドバンドに収納溝が設置されたマルチコネクティングロッド構造の表示装置を示す図である。
【図３８】図３７のマルチコネクティングロッド構造の表示装置の展開図である。
【図３９】図３７のヘッドバンドに収納溝が設置されたマルチコネクティングロッド構造の表示装置の分解図である。
【図４０】ヘッドバンドに収納溝が設置された別のマルチコネクティングロッド構造の表示装置を示す図である。
【図４１】図４０のマルチコネクティングロッド構造の表示装置の展開図である。
【図４２】図３７のヘッドバンドの両側に撮影装置および電源モジュールが設置された一例を示す図である。
【図４３】収納装置を有するマルチコネクティングロッド構造の表示装置の他の取付形態の一例を示す図である。
【図４４】図４３の装置の展開過程を示す図である。
【図４５】図４４の装置の完全展開後の形態を示す図である。
【図４６】図４３におけるマルチコネクティングロッド構造の表示装置の分解図である。
【図４７】図４３の収納装置の収納溝付きの構造を示す図である。
【図４８】図４７の装置の展開後の形態を示す図である。
【図４９】収納装置付きのマルチコネクティングロッド構造の撮影表示装置を示す図である。
【発明を実施するための形態】
【００２８】
以下に、図面を参照しながら、具体的な実施形態により本発明について詳しく説明する。
【００２９】
（実施形態一）
図１および図２に示すように、視角調節可能な表示装置は、ベース部１９および一端が第一調節装置を介してベース部１９に設置されたマルチコネクティングロッド式装置を含む。第一調節装置は回転軸構造を採用しており、好ましくは、ダンパー付きの調節機構を採用しており、例えば、横方向に設置されたダンパー式一字回転軸構造であり、第一調節装置は表示装置１３を上下に調節することに用いられることができる。ベース部１９の外側には取付カバーが設置されており、該取付カバーは一字回転軸構造を包んでいる。マルチコネクティングロッド式装置の他端には第二調節装置１２を介して表示装置１３が表示モジュールとして設置されている。本実施形態では、携帯の便利および軽量化設計のために、マイクロ投影型表示装置を採用している。調節装置はダンパーまたは調節後ロッキング機構付きの調節機構を採用することができ、表示装置を観察しやすい調節位置に位置決めることができる。
【００３０】
該第二調節装置１２は、表示装置１３の角度に対する微調整の実現に用いられ、好ましくは、第二調節装置１２はダンパー付きの調節機構を採用し、例えば、ダンパー付きのユニバーサルボールベアリング装置である。好ましくは、回転位置限定付きのユニバーサルボールベアリング装置を採用することにより、回転し過ぎることによる内部ワイヤの破損を回避することができる。表示装置１３のビデオデータケーブルはマルチコネクティングロッド式装置の内部に設置されており、外に露出されないため、外形が美しいだけでなく、人間の不注意による該データケーブルの破損を防止することができる。その他の実施形態において、データケーブルはコネクティングロッドの外部に配置されてもよい。
【００３１】
本実施形態において、マルチコネクティングロッド式装置は二段コネクティングロッド構造であり、二段コネクティングロッドの前部コネクティングロッド９は円弧形に設計され、該円弧形の弧度はヘルメットまたはヘッドバンドの表面にマッチする円弧形に設計することができ、二段コネクティングロッドの前部コネクティングロッド９はバックル式構造を採用し、その内部は中空であり、データケーブルまたは電源ケーブルを貫通させるのに用いられる。バックル式構造は後続のメンテナンスまたは機能モジュールを拡張する際に、二段コネクティングロッドの前部コネクティングロッド９を開けてデータケーブルを貫通させて接続させるにも便利である。二段コネクティングロッドの前部コネクティングロッド９の一端は第一調節装置を介してベース部１９に設置され、後部コネクティングロッド１１は凹んだ形状に設計され、二段コネクティングロッドの前部コネクティングロッド９の他端と後部コネクティングロッド１１の一端は回転軸構造を介して接続され、例えば、垂直に設置されたダンパー式一字回転軸構造２０を採用して接続される。この際、接続部を後部コネクティングロッド１１の凹部内に設置し、一字回転軸構造２０を調整することにより表示装置１３を前後に調整することを実現する。後部コネクティングロッド１１の他端はユニバーサルボールベアリング装置を介して表示装置１３に設置され、表示装置１３に対する微調整を便利にする。
【００３２】
利用者がマルチコネクティングロッド式装置を調整しやすくするように、後部コネクティングロッド１１の表面には摩擦層が設置され、利用者は後部コネクティングロッド１１を握るだけで、二段コネクティングロッドの前部コネクティングロッド９を連動させることにより、表示装置１３に対する上下前後の調節を実現することができる。
【００３３】
ベース部１９は単に独立部品を指すだけでなく、マルチコネクティングロッド式装置が第一調節装置を介して外部装置に設置される場合、例えば、ヘルメットまたはヘッドバンド等の頭部装着型装置に設置される場合、ヘルメットまたはヘッドバンドにおける第一調節装置を設置するための接触エリア部分がベース部１９であってもよく、この場合、ヘルメットまたはヘッドバンドの表面とベース部１９とは一体成型、または分割成型されるが組み合わせて組立てられる場合がある。
【００３４】
（実施形態二）
図３および図４に示すように、ベース部１９を熱画像システム１に固定することにより、表示装置１３を介して熱画像システムの内容を表示することができる。本実施形態において、第一調節装置は工場から出荷する際に直接熱画像システム１の側面に設置されることができ、この場合、熱画像システム１の側面と第一調節装置との接触エリアがベース部１９であってもよい。明らかに、熱画像システム１はその他の撮影装置であってもよく、例えば、可視光撮影装置等である。
【００３５】
（実施形態三）
図１３および図１４に示すように、ユーザが表示装置１３を調節して内容を視聴しやすくするために、ベース部１９をメガネフレーム２１に固定する。
【００３６】
（実施形態四）
図５、図６、図２４および図２５に示すように、他の一つのコネクティングロッド構造の表示装置であって、ヘルメット２７には撮影装置１が設置されており、撮影装置１とコネクティングロッド構造の表示装置との間は、ワイヤ接続という接続方式を採用し、またはプラグイン方式を介してデータ通信を行う。その他の好ましい実施形態において、図３２に示すように、撮影装置１と表示装置とは一体化されまたは二つに分離された部品であってもよく、二つの分離された撮影部品である場合、頭部装着型装置の両側にそれぞれ取り付けることができ、よってよりバランスよく着用できる。
【００３７】
コネクティングロッド構造の表示装置は、マルチコネクティングロッド式ベース部１４を含み、マルチコネクティングロッド式装置の一端は第一調節装置７を介してマルチコネクティングロッド式ベース部１４に設置されており、第一調節装置７は回転軸構造を採用しており、好ましくは、ダンパー付きの調節機構を採用しており、例えば、垂直に設置されたダンパー式一字回転軸構造を採用しており、第一調節装置７は迅速に表示モジュールを左右に調節するのに用いることができる。マルチコネクティングロッド式装置の他端には第二調節装置１２を介して表示装置１３が表示モジュールとして設置されている。該表示装置１３は同じく携帯の便利および軽量化設計を採用しており、マイクロ投影型表示装置を採用することができる。好ましくは、調節装置はダンパーまたは調節後ロッキング機構付きの調節機構を採用し、表示装置を観察しやすい調節位置に位置決めることができる。
【００３８】
第二調節装置１２は表示装置１３の角度に対する微調整の実現に用いられ、好ましくは、第二調節装置１２はユニバーサルボールベアリング装置を採用する。表示装置１３のビデオデータケーブルはマルチコネクティングロッド式装置の内部に設置され、外に露出されないため、外形が美ししく、人間の不注意による該データケーブルに対する破損を防止することができる。
【００３９】
図５および図６に示すように、マルチコネクティングロッド式装置は三段コネクティングロッド構造であり、三段コネクティングロッドの前部コネクティングロッド８は凹んだ形状設計を採用している。三段コネクティングロッドの前部コネクティングロッド８の一端は第一調節装置７を介してマルチコネクティングロッド式ベース部１４に設置され、三段コネクティングロッドの前部コネクティングロッド８の他端と中間コネクティングロッド９１の一端とは調節装置を介して接続されており、例えば、横方向のダンパー式一字回転軸構造を介して接続され、一字回転軸構造を調整することにより、表示装置１３の迅速な上下調節を実現することができる。中間コネクティングロッド９１は円弧形に設計され、該円弧形の弧度はヘルメット表面の円弧形とほぼ一致するように設計することができ、または、中間コネクティングロッド９１はＬ形に設計され、中間コネクティングロッド９１は中空構造であってもよく、例えば、バックル式構造を採用することができ、その内部は中空であり、データケーブルまたは電源ケーブルを貫通させるのに用いられる。バックル式構造は後続のメンテナンスまたは機能モジュールを拡張する際に、中間コネクティングロッド９１を開けてデータケーブルを貫通させて接続させるにも便利である。中間コネクティングロッド９１の他端と後部コネクティングロッド１１の一端とは調節装置を介して接続され、例えば、ダンパー式一字回転軸構造により接続されてもよく、好ましくは、ダンパー式一字回転軸構造を採用して接続され、より好ましくは、垂直するダンパー式一字回転軸構造を採用して接続され、該ダンパー式一字回転軸構造は、表示装置１３の迅速な前後調節に用いられる。後部コネクティングロッド１１の他端には、第二調節装置１２を介して表示装置１３が設置されている
【００４０】
利用者がマルチコネクティングロッド式装置を調整しやすくするように、後部コネクティングロッド１１の表面には摩擦層が設置され、利用者は後部コネクティングロッド１１または表示装置１３を握るだけで、三段コネクティングロッドの前部コネクティングロッド８、中間コネクティングロッド９１を連動させ、左右、上下および前後の迅速な調節を実現することができる。
【００４１】
図２４および図２５に示すように、マルチコネクティングロッド式装置は同じく三段コネクティングロッド構造であり、その調節方式と連動原理は図５および図６と同じであり、その区別は各コネクティングロッドの形状が異なることであり、図５および図６に比較して、図２４または図２５に示されたコネクティングロッド部品はより簡単である。
【００４２】
実施形態一ないし実施形態四からの類推により、いわゆる当業者であれば、マルチコネクティングロッド式装置は同様により多くのコネクティングロッド組立方式を採用することができ、例えば、中間コネクティングロッドはシングルコネクティングロッドまたはマルチコネクティングロッド構造であってもよく、本発明の解決しようとする技術的課題を実現することができることを容易に想到できる。
【００４３】
（実施形態五）
図７〜図９に示すように、図５をもとに、表示装置１３を収納する収納装置が増設され、収納装置にはさらにクランプインターフェースが設置されている。
【００４４】
簡単な収納装置の形状は、図２６におけるａ〜ｈに示すような設計を採用してもよく、好ましくは、簡単な収納装置は図２６におけるｂの凹んだ形状とｆの凹円弧形を採用し、図２７〜３０は、表示装置を図２６におけるｂの凹んだ形状の収納装置に収納した場合を表している。
【００４５】
図７〜図９に示すように、コネクティングロッド式装置の一端はコネクティングロッド式ベース部１４を介して収納装置３内に設置され、収納装置は、収納ボックス３、収納ボックス内に設置されたバッフル部材を含み、バッフル部材は、トップビーズばね５およびトップビーズばねの頂部に設置されたクランプトップビーズ４を含み、トップビーズばね５はばねバッフル６に設置され、トップビーズばね５の作用により、クランプトップビーズ４の一部は収納ボックス３の孔２に突出し、それに嵌合されるようにマルチコネクティングロッド式装置にはクランプ溝１０が設置され、よって収納する際にクランプトップビーズ４はクランプ溝１０内に係止される。
【００４６】
マルチコネクティングロッド式装置を解放しやすくするために、収納装置はさらに収納ボックスの一側に設置されたトグル部材１７を含み、トグル部材はスイッチ１５、復位ばね１６および突出しピン１８を含み、収納ボックスには突出しピンを貫通させる孔が設置され、スイッチ１５を動作させる場合、突出しピン１８は収納ボックスの孔を貫通した後マルチコネクティングロッド装置に当接され、マルチコネクティングロッド式装置にクランプトップビーズ４の弾力を解消させた後、クランプトップビーズをクランプ溝から滑り出すようにし、スイッチを解放した後、復位ばね１６はスイッチ１５を復位させる。
【００４７】
同様に、コネクティングロッドベース部１４は単に独立部品を指すだけでなく、マルチコネクティングロッド式装置が第一調節装置を介して収納装置に直接設置され、収納装置の内表面の第一調節装置との接触エリアが、コネクティングロッド式ベース部１４であってもよく、この場合、収納装置の内表面とコネクティングロッド式ベース部１４とが一体成型、または分割成型するが、組み合わせて組立てられる場合がある。
【００４８】
（実施形態六）
図３１に示すように、図７〜図９をもとに、収納装置の内側には緩衝部品２９が追加設置され、マルチコネクティングロッド式装置が収納装置に収納される場合、保護作用を果たす。
【００４９】
（実施形態七）
図３２に示すように、マルチコネクティングロッド式装置が収納装置の内壁に設置された他の一つの実施形態であり、本実施形態において、ヘッドバンド側には熱画像撮影装置が設置され、他側には収納装置付きの表示装置が設置されている。このように設置することにより、二つの部品の重量をバランスよくし、一側が重く、他の一側が軽い問題を回避する。熱画像撮影装置と表示装置との間はワイヤによる直接接続方式、またはコネクタ付きのワイヤによる接続方式を採用してもよい。
【００５０】
この場合、三段コネクティングロッドの前部コネクティングロッド８は収納装置の内壁に直接取り付けられ、実際に、マルチコネクティングロッド式ベース部１４と収納装置の内壁とは一体になっており、三段コネクティングロッドの前部コネクティングロッド８の第一調節装置は収納装置の内壁の接触エリアにあり、実際は、マルチコネクティング式ベース部１４である。
【００５１】
（実施形態八）
図３３〜３６に示すように、マルチコネクティングロッド構造は収納装置の頂部に設置され、マルチコネクティングロッド式装置は三段コネクティングロッド構造であり、三段コネクティングロッドの前部コネクティングロッド８は凹んだ形状に設計され、三段コネクティングロッドの前部コネクティングロッド８の一端は第一調節装置７を介して収納装置の頂壁に設置され、実際に、マルチコネクティングロッド式ベース部１４と収納装置の頂壁とは一体になっており、三段コネクティングロッドの前部コネクティングロッド８の第一調節装置は収納装置の頂壁の接触エリアにあり、実際にはマルチコネクティング式ベース部１４であり、三段コネクティングロッドの前部コネクティングロッド８の他端と中間コネクティングロッド９１の一端とは横方向のダンパー式一字回転軸構造を介して接続され、一字回転軸構造を調整することにより、表示装置１３の迅速な上下調節を実現する。中間コネクティングロッド９１はバックル式ナット固定構造を採用し、その内部は中空であり、データケーブルまたは電源ケーブルを貫通させるのに用いられる。バックル式構造は後続のメンテナンスまたは機能モジュールを拡張する際に、中間コネクティングロッド９１を開けてデータケーブルを貫通させるのに便利であり、バックルを留めた後、ナットにより固定することで、中間コネクティングロッド９１をより強固にする。中間コネクティングロッド９１の他端と後部コネクティングロッド１１の一端は接合部品３０を介して接続され、接合部品３０と中間コネクティングロッド９１との間には回転軸が設置され、好ましくは、ダンパー式一字回転軸構造を採用して表示装置１３を前後に迅速に調節し、後部コネクティングロッド１１の他端には第二調節装置１２を介して表示装置１３が設置されている。
【００５２】
利用者は後部コネクティングロッド１１または表示装置１３を握るだけで、三段コネクティングロッドの前部コネクティングロッド８、中間コネクティングロッド９１を連動させ、左右、上下および前後の迅速な調節を実現することができる。
【００５３】
図４９に示すように、図３６の構造との区別は様々な応用装置を設置することができることであり、例えば、測定装置、センサ装置等を設置することができ、好ましくは、熱画像システム１等の撮影装置が設置されてもよい。
【００５４】
また、図３３と図４９において、収納装置または表示装置の取付座は、頭部装着型装置のクランプ溝に嵌合されるバックルが付くため、表示装置を柔軟に頭部装着型装置の前部、側面等のクランプ溝を有する部位に取り付けるのに便利である。
【００５５】
（実施形態九）
図１０〜図１２に示すように、収納装置３の頂部には熱画像システム１のような撮影装置が設置され、表示装置１３は熱画像システム１の内容を表示する。
【００５６】
（実施形態十）
収納装置３と外部設備とを便利に取り外し接続することを実現するために、収納装置３と外部設備とはクランプ装置を介して接続されてもよく、図１５〜１８に示すように、外部設備はメガネフレームであり、収納装置３の一側にはバックルが設置され、メガネフレームには、それとマッチするクランプ溝２４が設置され、クランプ溝２４の底部には電気的接点２３が設置され、クランプ溝２４の両側にはステップ状の摺動溝が設置され、クランプ溝の内側には押圧ブロック２２が設置され、バックルは摺動溝に沿ってクランプ溝の底部に挿入され、押圧ブロック２２はばね２５の作用力の作用によりバックルに当接し、押圧ブロック２２および摺動溝のステップによりバックルをクランプ溝２４内に係止する。
【００５７】
（実施形態十一）
図１９〜図２３に示すように、視角調節可能な表示装置には表示装置１３を制御するための制御ボタン２６が設置され、図１９、図２２または図２３に示すように、制御ボタン２６は表示装置１３のケーシングに設置することができ、図２０と図２１に示すように、マルチコネクティングロッド装置に設置してもよい。
【００５８】
（実施形態十二）
図３７〜３９に示すように、ヘッドバンドに収納溝が嵌め込むように設置されたマルチコネクティングロッド構造表示装置である。
【００５９】
ヘッドバンドには収納溝３１が嵌め込むように設置され、中間コネクティングロッド９１、後部コネクティングロッド１１にはいずれも一定の弧度が設けられ、収納溝３１の弧度は中間コネクティングロッド９１、後部コネクティングロッド１１の弧度にマッチする。収納溝の一側には切り欠きが設置され、マルチコネクティングロッド式ベース部１４を設置するのに用いられる。
【００６０】
マルチコネクティングロッド式装置は三段コネクティングロッド構造であり、三段コネクティングロッドの前部コネクティングロッド８は凹んだ形状に設計され、三段コネクティングロッドの前部コネクティングロッド８の一端は第一調節装置７を介して上記マルチコネクティングロッド式ベース部１４に設置され、三段コネクティングロッドの前部コネクティングロッド８の他端と中間コネクティングロッド９１の一端とは横方向のダンパー式一字回転軸構造を介して接続され、一字回転軸構造を調整することにより、表示装置１３の迅速な上下調節を実現する。中間コネクティングロッド９１は円弧形に設計され、該円弧形の弧度は収納溝３１の弧度の円弧形にマッチするように設計することができ、中間コネクティングロッド９１はバックル式構造を採用し、その内部は中空であり、ケーブルまたは電源ケーブルを貫通させるのに用いられ、バックル式構造も後続のメンテナンスまたは機能モジュールを拡張する際に、中間コネクティングロッド９１を開けてケーブルを貫通させるのに便利である。中間コネクティングロッド９１の他端と後部コネクティングロッド１１の一端とは垂直するダンパー式一字回転軸構造を介して接続され、該ダンパー式一字回転軸構造は表示装置１３の迅速な前後調節に用いられ、後部コネクティングロッド１１の他端には第二調節装置１２を介して表示装置１３が設置されている。第二調節装置１２は表示装置１３の角度に対する微調整を実現し、好ましくは、第二調節装置１２はユニバーサルボールベアリング装置を採用する。
【００６１】
（実施形態十三）
図４０〜４１に示すように、ヘッドバンドに収納溝が設置されたマルチコネクティングロッド構造の表示装置の他の一つの構造図である。
【００６２】
本実施形態と実施形態十二との区別は、マルチコネクティング構造が二段コネクティング構造であることであり、第二コネクティングロッド９２には一定の弧度が設けられ、収納溝３１の弧度は第二コネクティングロッド９２の弧度にマッチする。収納溝の一側には切り欠きが設置され、マルチコネクティングロッド式ベース部１４を設置するのに用いられる。
【００６３】
二段コネクティングロッドの前部コネクティングロッド８は凹んだ形状に設計され、前部コネクティングロッド８の一端は第一調節装置７を介して上記マルチコネクティングロッド式ベース部１４に設置され、前部コネクティングロッド８の他端と第二コネクティングロッド９２の一端とは横方向のダンパー式一字回転軸構造を介して接続され、一字回転軸構造を調整することにより、表示装置１３の迅速な上下調節を実現する。第二コネクティングロッド９２は円弧形に設計され、該円弧形の弧度は収納溝３１の弧度の円弧形と一致するように設計することができ、第二コネクティングロッド９２はバックル式構造を採用し、その内部は中空であり、データケーブルまたは電源ケーブルを貫通させるのに用いられ、バックル式構造は後続のメンテナンスまたは機能モジュールを拡張する際に、第二コネクティングロッド９２を開けて、データケーブルを貫通させるのにも便利である。第二コネクティングロッド９２の他端には、第二調節装置１２を介して表示装置１３が設置されている。第二調節装置１２は表示装置１３の角度に対する微調整を実現し、好ましくは、第二調節装置１２はユニバーサルボールベアリング装置を採用する。
【００６４】
（実施形態十四）
図４２に示すように、本実施形態において、実施形態十二のヘッドバンドンの一側には撮影装置が設置され、例えば、熱画像撮影装置が設けられ、他側には電源付きのモジュールが設置され、表示装置は熱画像撮影装置および電源モジュールと直接接続またはプラグイン式接続される。該設置を介して、二つの部品の重量をバランスよくすることができる。
【００６５】
（実施形態十五）
図４３〜図４６に示すように、本実施形態において、マルチコネクティング式装置は三段コネクティングロッド構造であり、折り畳み形状を採用し、収納装置３は収納板であり、三段コネクティングロッドの前部コネクティングロッド８の一端は第一調節装置７を介して収納板に設置され、この場合、マルチコネクティングロッド式ベース部と収納板は一体化され、即ち、第一調節装置７と収納板との接触部である。図４７〜４８に示すように、表示装置が側面方向に押圧されることを防止するために、収納板の周縁には表示装置を保護するための突起が設置されてもよく、収納板には収納溝３３が設置されてもよく、コネクティングロッドを収納するのに用いられる。
【００６６】
三段コネクティングロッドの前部コネクティングロッド８の他端と中間コネクティングロッド９４の一端とは横方向のダンパー式一字回転軸構造を介して接続され、一字回転軸構造を調整することにより、表示装置１３の迅速な上下調節を実現する。中間コネクティングロッド９４はバックル式構造を採用し、その内部は中空であり、データケーブルまたは電源ケーブルを貫通させるのに用いられ、バックル式構造は後続のメンテナンスまたは機能モジュールを拡張する際に、中間コネクティングロッド９４を開けて、データケーブルの貫通させるのにも便利である。中間コネクティングロッド９４の他端と後部コネクティングロッド９３の一端とは垂直する回転軸構造を介して接続され、該ダンパー式回転軸構造は表示装置１３の迅速な前後調節に用いられ、後部コネクティングロッド９３の他端には第二調節装置１２を介して表示装置１３が設置されている。第二調節装置１２は表示装置１３の角度に対する微調整を実現し、好ましくは、第二調節装置１２はユニバーサルボールベアリング装置を採用する。本実施形態において、後部コネクティングロッド９３には第二調節装置１２と同じく回転軸が設置されている。
【００６７】
また、上記実施形態において、マルチコネクティングロッド構造におけるあるシングルコネクティングロッドは、蛇管等のその他の部品に取り換えてもよく、さらに、マルチコネクティングロッド構造におけるあるシングルコネクティングロッドおよび接続された調節装置は、変形可能な部品に取り換えてもよい。
【００６８】
上記は本発明の好ましい実施形態に過ぎず、指摘すべきことは、本発明における各部品の用語に対する定義は説明しやすくするためであり、実際の場合、機能および構造は同様または類似するが、用語が一致しないという場合が存在する。当業者にとって、本発明の技術的思想を逸脱しない前提において、さらにいくつかの改善や修飾を行うことができ、これらの改善と修飾も本発明の保護範囲内に属すると見なすべきである。
【図１】
2019502961.tif 000003
【図２】
2019502961.tif 000004
【図３】
2019502961.tif 000005
【図４】
2019502961.tif 000006
【図５】
2019502961.tif 000007
【図６】
2019502961.tif 000008
【図７】
2019502961.tif 000009
【図８】
2019502961.tif 000010
【図９】
2019502961.tif 000011
【図１０】
2019502961.tif 000012
【図１１】
2019502961.tif 000013
【図１２】
2019502961.tif 000014
【図１３】
2019502961.tif 000015
【図１４】
2019502961.tif 000016
【図１５】
2019502961.tif 000017
【図１６】
2019502961.tif 000018
【図１７】
2019502961.tif 000019
【図１８】
2019502961.tif 000020
【図１９】
2019502961.tif 000021
【図２０】
2019502961.tif 000022
【図２１】
2019502961.tif 000023
【図２２】
2019502961.tif 000024
【図２３】
2019502961.tif 000025
【図２４】
2019502961.tif 000026
【図２５】
2019502961.tif 000027
【図２６】
2019502961.tif 000028
【図２７】
2019502961.tif 000029
【図２８】
2019502961.tif 000030
【図２９】
2019502961.tif 000031
【図３０】
2019502961.tif 000032
【図３１】
2019502961.tif 000033
【図３２】
2019502961.tif 000034
【図３３】
2019502961.tif 000035
【図３４】
2019502961.tif 000036
【図３５】
2019502961.tif 000037
【図３６】
2019502961.tif 000038
【図３７】
2019502961.tif 000039
【図３８】
2019502961.tif 000040
【図３９】
2019502961.tif 000041
【図４０】
2019502961.tif 000042
【図４１】
2019502961.tif 000043
【図４２】
2019502961.tif 000044
【図４３】
2019502961.tif 000045
【図４４】
2019502961.tif 000046
【図４５】
2019502961.tif 000047
【図４６】
2019502961.tif 000048
【図４７】
2019502961.tif 000049
【図４８】
2019502961.tif 000050
【図４９】
2019502961.tif 000051
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
視角調節可能な表示装置であって、
ベース部と、一端が前記ベース部に設置されており、他端が表示装置に設置されているマルチコネクティングロッド式装置と、を含み、
前記マルチコネクティングロッド装置と前記ベース部との間には第一調節装置が設置されており、
前記表示モジュールと前記マルチコネクティングロッド装置との間には第二調節装置が設置されており、
前記マルチコネクティングロッド式装置は、前部コネクティングロッドおよび後部コネクティングロッドを含み、
前部コネクティングロッドの一端は第一調節装置を介して前記ベース部に設置されており、前部コネクティングロッドの他端は後部コネクティングロッドの一端に可動に接続されており、後部コネクティングロッドの他端は第二調節装置を介して前記表示装置に設置されている、ことを特徴とする視角調節可能な表示装置。
【請求項２】
前記第一調節装置または前部コネクティングロッドの他端と後部コネクティングロッドの一端との接続部はヒンジ接続構造を採用している、ことを特徴とする請求項１に記載の視角調節可能な表示装置。
【請求項３】
前記第二調節装置はボールベアリング構造を採用している、ことを特徴とする請求項１に記載の視角調節可能な表示装置。
【請求項４】
前記ボールベアリング構造はユニバーサルボールベアリング構造である、ことを特徴とする請求項３に記載の視角調節可能な表示装置。
【請求項５】
前部コネクティングロッドと後部コネクティングロッドとの間はコネクティングロッドまたはコネクティングロッド組により接続されている、ことを特徴とする請求項４に記載の視角調節可能な表示装置。
【請求項６】
前記マルチコネクティングロッド式装置または表示装置には制御ボタンが設置されている、ことを特徴とする請求項１に記載の視角調節可能な表示装置。
【請求項７】
前記ベース部にはクランプインターフェイスが設置されている、ことを特徴とする請求項１に記載の視角調節可能な表示装置。
【請求項８】
前記ベース部が設けられている収納装置をさらに含む、ことを特徴とする請求項１に記載の視角調節可能な表示装置。
【請求項９】
前記収納装置は、収納ボックス、収納ボックス内に設置されたバッフル部材を含み、
前記バッフル部材は、トップビーズばねおよびトップビーズばねの頂部に設置されたクランプトップビーズを含み、前記バッフル部材に嵌合する前記マルチコネクティングロッド式装置にはクランプ溝が設置されており、収納する場合、前記クランプトップビーズは前記クランプ溝内に係止されている、ことを特徴とする請求項８に記載の視角調節可能な表示装置。
【請求項１０】
前記収納装置は、収納ボックスの一側に設置されたトグル部材をさらに含み、前記トグル部材は、スイッチ、リセットばねおよび突出しピンを含み、前記収納ボックスには突出しピンを貫通させる孔が設置されており、スイッチを動作させる場合、突出しピンは収納ボックスの孔を貫通した後マルチコネクティングロッド装置に当接しており、マルチコネクティングロッド式装置にクランプトップビーズの弾力を解消させた後クランプトップビーズをクランプ溝から滑り出すようにし、スイッチを解放した後、リセットばねはスイッチをリセットする、
ことを特徴とする請求項９に記載の視角調節可能な表示装置。
【請求項１１】
前記収納装置の内側には緩衝部品が設置されている、ことを特徴とする請求項８に記載の視角調節可能な表示装置。
【請求項１２】
収納溝をさらに含み、前記マルチコネクティングロッド式装置は前記収納溝に収納されている、ことを特徴とする請求項１に記載の視角調節可能な表示装置。
【請求項１３】
前記収納装置にはクランプ構造が設置されている、ことを特徴とする請求項８に記載の視角調節可能な表示装置。
【国際調査報告】
2019502961.tif 000052
2019502961.tif 000053
2019502961.tif 000054
2019502961.tif 000055
2019502961.tif 000056
2019502961.tif 000057